(57)【要約】【課題】  複数のユーザが共有する携帯端末において、個人情報用メモリを増やすことなく、個人情報やプライベートな情報を他人から見られることを防止できる携帯端末を提供する。【解決手段】  個人認証入力が有ると（ステップＳ１でＹＥＳ）、個人認証記憶部２に記憶されている前回のユーザと同じ個人認証データであるかをチェックする（ステップＳ２）。  同じであれば（ＹＥＳ）、個人用情報の記憶手段である登録単語記憶部７、マルチメディアデータ記憶部８、端末設定データ記憶部９の内容はそのまま残しておく（ステップＳ３）。ステップＳ２で同じでなければ（ＮＯ）、個人認証記憶部２の内容を今回入力された個人認証入力データに書き換える（ステップＳ４）。そして、個人用情報の記憶手段である登録単語記憶部７、マルチメディアデータ記憶部８、端末設定データ記憶部９の内容を消去する（ステップＳ５）。【選択図】  図２
2007019897.tif 000002
【特許請求の範囲】
【請求項１】
個人認証情報を入力する個人認証入力手段と、
前記入力された個人認証情報を記憶する個人認証記憶手段と、
ユーザが登録した個人情報を記憶する個人情報記憶手段と、
前記個人認証記憶手段に記憶されている個人認証情報と今回入力された個人認証情報とを比較して不一致の場合、前記個人情報記憶手段に記憶されている個人情報を消去する制御手段とを
具備することを特徴とする携帯端末。
【請求項２】
個人認証情報を入力する個人認証入力手段と、
前記入力された個人認証情報を記憶する個人認証記憶手段と、
ユーザが登録した個人情報を記憶する個人情報記憶手段と、
前記個人情報記憶手段を共有する共有ユーザの認証情報を登録する共有ユーザ登録手段と、
前記個人認証記憶手段に記憶されている個人認証情報と今回入力された個人認証情報とを比較して不一致で、かつ今回入力された個人認証情報が前記共有ユーザ登録手段にない場合、前記個人情報記憶手段に記憶されている個人情報を消去する制御手段とを
具備することを特徴とする携帯端末。
【請求項３】
前記個人認証情報は、移動体通信用の加入者情報又はユーザにより入力されるパスワード又はユーザの生体情報であることを特徴とする請求項１又は請求項２に記載の携帯端末。
【請求項４】
前記個人情報は、ユーザの仮名漢字変換時の変換候補の使用頻度を表す変換順序又はユーザにより登録された仮名漢字変換用単語又はマルチメディアデータ又は携帯端末の機能設定データであることを特徴とする請求項１又は請求項２に記載の携帯端末。
【発明の詳細な説明】
【技術分野】
【０００１】
本発明は、複数のユーザが共有する携帯端末において、個人情報のプライバシー保護に関する。
【背景技術】
【０００２】
（背景技術１）
電話機内に保存される個人情報および電話機自体の設定の管理を行う移動体電話機がある（例えば、特許文献１参照。）。この特許文献１の移動体電話機にあっては、電話機内に登録される個人情報や電話機設定を、電話機内に挿入されたＵＳＩＭカードの種類と関連付けて登録する。そして、電話機内に挿入されているＵＳＩＭカードの種類と前記保存時に関連付けられたＵＳＩＭカードの種類とが一致する場合に、保存した前記個人情報の読み出しを可能とすることにより、他人に見聞きされることを防止している。また、前記一致する場合に、電話機設定を自動で行い、使い勝手が向上している。  
この個人情報としては、電話帳データ、受信した電子メール、ダウンロードした情報（音楽、絵等）、あるいはボイスメモ等の記載がある。電話機設定としては、着信音量や着信音の種類、通話音量、キー操作確認音のＯＮ／ＯＦＦ、アラームのＯＮ／ＯＦＦ、バックライトの色などの設定すべき項目の記載がある。
【０００３】
（背景技術２）
加入者カードを使用して携帯電話機内部に記録された個人情報の漏洩を防止できる携帯電話機がある（例えば、特許文献２参照。）。この特許文献２の携帯電話機にあっては、ＳＩＭカードを携帯電話機から引き抜く際に携帯電話機の中のＥＥＰＲＯＭの個人データを消去している。また、消去の際、個人データを暗号化手順により暗号化し、外付けメモリ又はＳＩＭカードに転送記録している。暗号化されて外付けメモリ又はＳＩＭカードに記録された個人データは、別の携帯電話機でＳＩＭカードを使用する際に再利用できる。
【特許文献１】特開２００２−１９９０８９号公報（第３〜４頁、図１〜図３）
【特許文献２】特開２００２−３００２５４号公報（第４〜６頁、図１〜図４）
【発明の開示】
【発明が解決しようとする課題】
【０００４】
従来の特許文献１に開示された移動体電話機では、ＵＳＩＭカード毎の個人情報や電話機設定情報用の多くのメモリを備える必要があると共に、制御が複雑であり、小型の装置では問題となる。  
従来の特許文献２に開示された携帯電話機では、ＳＩＭカードや外付けメモリに個人データを記録しているために、個人データが増えてくるとＳＩＭカードや外付けメモリの容量が増えてしまうという問題がある。また、携帯電話機の電源オン後に、ＳＩＭカードや外付けメモリから携帯電話機本体へ個人データを転送するのに時間がかかり、使い勝手が悪いという問題がある。  
本発明は、上記の問題点を解決するためになされたもので、複数のユーザが共有する携帯端末において、個人情報用メモリを増やすことなく、個人情報やプライベートな情報を他人から見られることを防止できる携帯端末を提供することを目的とする。
【課題を解決するための手段】
【０００５】
上記目的を達成するために、本発明の携帯端末は、個人認証情報を入力する個人認証入力手段と、前記入力された個人認証情報を記憶する個人認証記憶手段と、ユーザが登録した個人情報を記憶する個人情報記憶手段と、前記個人認証記憶手段に記憶されている個人認証情報と今回入力された個人認証情報とを比較して不一致の場合、前記個人情報記憶手段に記憶されている個人情報を消去する制御手段とを具備することを特徴とする。
【発明の効果】
【０００６】
本発明によれば、同じユーザが使用する場合には当該ユーザの個人情報を保存し、前回と異なるユーザが使用する場合には前回のユーザの個人情報を消去することにより、個人情報用メモリを増やすことなく、個人情報やプライベートな情報を他人から見られることを防止することが可能となる。  
特に、ユーザが頻繁に変わるようなアプリケーションにおいては、個人情報として、消去されてもそれほど不便ではないが他人に見られるとプライバシーに問題がある予測変換辞書（ユーザが独自に登録した仮名漢字変換用の辞書）などに特に有効である。また、ＳＩＭ（Subscriber Identify Module）カード方式の無線通信端末のように頻繁にユーザが変わることのないアプリケーションにおいては、同じユーザが使用し続ける状況が続くため、当該ユーザの個人情報は保存されて使い勝手が良く、ユーザが変わった状況で前ユーザの個人情報は消去されてプライバシーの保護が可能となる。
【発明を実施するための最良の形態】
【０００７】
以下、本発明の実施例を、図面を参照して説明する。
【実施例】
【０００８】
図１は、本発明の実施例の携帯端末のブロック図である。携帯端末１００は、複数のユーザが共用して使用する携帯端末であり、ＧＳＭ（Global System for Mobile Communications）方式の移動体通信端末、パーソナルコンピュータ、ＰＤＡ端末、その他の端末である。携帯端末１００は、個人認証入力部１、個人認証記憶部２、操作キー３、表示部４、制御部５、辞書記憶部６、登録単語記憶部７、マルチメディアデータ記憶部８、端末設定データ記憶部９などにより構成される。携帯端末１００がＧＳＭ方式の移動体通信端末の場合、外部からＳＩＭカード２００が個人認証入力部１へ入力される。ＳＩＭカード２００には、移動体通信の加入者情報などが書き込まれている。携帯端末１００がパーソナルコンピュータ、ＰＤＡ端末、その他の端末の場合、個人認証入力部１への外部からの入力情報は、他のＩＣカードや、ユーザの指紋等の生体情報や、パスワードなどであってもよい。
【０００９】
個人認証記憶部２は、個人認証入力部１に入力された個人認証データを記憶する。操作キー３はユーザ用のキー入力手段である。表示部４は、ユーザへの表示用手段である。制御部５は、携帯端末１００の全体の制御を行う。辞書記憶部６は、仮名漢字変換用の辞書およびユーザの変換候補の使用頻度を表す変換順序が記憶されている。この変換順序は、ユーザが仮名漢字変換を行う毎に使用頻度の高い候補順に変換候補が並べられて表示されるものである。登録単語記憶部７は、ユーザが独自に登録した仮名漢字変換用の単語の記憶部である。マルチメディアデータ記憶部８は、ユーザが独自に記憶させた画像データ、動画データ、音声データ等のマルチメディアデータの記憶部である。端末設定データ記憶部９は、ユーザが独自に記憶させた携帯端末１００の各種設定データ、例えば着信音設定等の記憶部である。これらの辞書記憶部６の中の変換順序や、登録単語記憶部７、マルチメディアデータ記憶部８、端末設定データ記憶部９は、ユーザの個人用情報の記憶手段である。
【００１０】
図２は、本発明の実施例の携帯端末の動作を表すフローチャートであり、制御部５等の制御動作を表す。携帯端末１００の電源がオンになると、まず、個人認証入力が有るかどうかをチェックする（ステップＳ１）。これは、個人認証入力部１へのＳＩＭカード２００や他のＩＣカードの装着や、ユーザの指紋等の生体情報やパスワード入力のチェックである。個人認証入力が有ると（ステップＳ１でＹＥＳ）、個人認証記憶部２に記憶されている前回のユーザと同じ個人認証データであるかをチェックする（ステップＳ２）。
【００１１】
同じであれば（ＹＥＳ）、個人用情報の記憶手段である辞書記憶部６の中の変換順序や、登録単語記憶部７、マルチメディアデータ記憶部８、端末設定データ記憶部９の内容はそのまま残しておく（ステップＳ３）。ステップＳ２で同じでなければ（ＮＯ）、個人認証記憶部２の内容を今回入力された個人認証入力データに書き換える（ステップＳ４）。そして、個人用情報の記憶手段である辞書記憶部６の中の変換順序を初期値に戻す。また、登録単語記憶部７、マルチメディアデータ記憶部８、端末設定データ記憶部９の内容を消去する（ステップＳ５）。
【００１２】
従って、同じユーザが使用する場合には当該ユーザの個人情報を保存し、前回と異なるユーザが使用する場合には前回のユーザの個人情報を消去することにより、個人情報用メモリを増やすことなく、個人情報やプライベートな情報を他人から見られることを防止することが可能となる。
【００１３】
なお、ステップＳ１の個人認証入力がＳＩＭカード２００の場合に限って、上記処理を行うようにしてもよい。すなわち、ＳＩＭカード方式の無線通信端末のように頻繁にユーザが変わることのないアプリケーションにおいては、同じユーザが使用し続ける状況が続くため、当該ユーザの個人情報は保存されて使い勝手が良く、ユーザが変わった状況で前ユーザの個人情報は消去されてプライバシーの保護が可能となる。  
また、ステップＳ１の個人認証入力が他のＩＣカードの装着や、ユーザの指紋等の生体情報やパスワード入力のような場合、ユーザが頻繁に変わるようなアプリケーションが考えられる。この場合、個人用情報の記憶手段の内、マルチメディアデータ記憶部８、端末設定データ記憶部９については従来行われているユーザ毎の秘匿管理を行い、登録単語記憶部７については消去するようにしてもよい。登録単語記憶部７については、消去されてもそれほど不便ではないが他人に見られるとプライバシーに問題があるので、本実施例の効果が得られる。
【００１４】
図３は、本発明の他の実施例の携帯端末の動作を表すフローチャートであり、制御部５等の制御動作を表す。まず、ユーザは、個人用情報の記憶手段である辞書記憶部６の中の変換順序や、登録単語記憶部７、マルチメディアデータ記憶部８、端末設定データ記憶部９について、共有してもよい他のユーザである登録共有ユーザを予め制御部内やメモリに登録する（ステップＳ１１）。そして、個人認証入力が有るかどうかをチェックする（ステップＳ１２）。これは、個人認証入力部１へのＳＩＭカード２００や他のＩＣカードの装着や、ユーザの指紋等の生体情報やパスワード入力のチェックである。個人認証入力が有ると（ステップＳ１２でＹＥＳ）、個人認証記憶部２に記憶されている前回のユーザと同じ個人認証データであるかをチェックする（ステップＳ１３）。
【００１５】
同じであれば（ＹＥＳ）、個人用情報の記憶手段である辞書記憶部６の中の変換順序や、登録単語記憶部７、マルチメディアデータ記憶部８、端末設定データ記憶部９の内容はそのまま残しておく（ステップＳ１４）。ステップＳ１３で同じでなければ（ＮＯ）、個人認証記憶部２の内容を今回入力された個人認証入力データに書き換える（ステップＳ１５）。そして、今回入力された個人認証入力データがステップＳ１１で登録した登録共有ユーザであるかをチェックする（ステップＳ１６）。登録共有ユーザであれば（ＹＥＳ）、個人用情報の記憶手段である辞書記憶部６の中の変換順序や、登録単語記憶部７、マルチメディアデータ記憶部８、端末設定データ記憶部９の内容はそのまま残しておく（ステップＳ１４）。つまり、登録共有ユーザには共有して使用できるようにしておく。登録共有ユーザでなければ（ステップＳ１６でＮＯ）、個人用情報の記憶手段である辞書記憶部６の中の変換順序や、登録単語記憶部７、マルチメディアデータ記憶部８、端末設定データ記憶部９の内容を消去する（ステップＳ１７）。
【００１６】
従って、予め登録した登録共有ユーザについては、個人用情報の記憶手段を共有することができる。
【図面の簡単な説明】
【００１７】
【図１】本発明の実施例の携帯端末のブロック図。
【図２】本発明の実施例の携帯端末の動作を表すフローチャート。
【図３】本発明の他の実施例の携帯端末の動作を表すフローチャート。
【符号の説明】
【００１８】
１  個人認証入力部
２  個人認証記憶部
３  操作キー
４  表示部
５  制御部
６  辞書記憶部
７  登録単語記憶部
８  マルチメディアデータ記憶部
９  端末設定データ記憶部
１００  携帯端末
２００  ＳＩＭカード
【図１】
2007019897.tif 000003
【図２】
2007019897.tif 000004
【図３】
2007019897.tif 000005